(57)【要約】【課題】燃料電池システムにおいて、燃料電池の発電の高効率化を図ること。【解決手段】燃料電池システム１の制御装置１５は、燃料電池３４の発電電力に基づいて、燃料電池３４に供給される燃料ガスの流量を第一流量に設定する燃料流量設定部１５ａと、燃料電池３４の発電電力が所定電力範囲内であるか否かを判定する電力判定部１５ｃと、燃料オフガスが燃焼される第一燃焼部３６の第一燃焼部温度が所定温度範囲内であるか否かを判定する温度判定部１５ｄと、電力判定部１５ｃによって発電電力が所定電力範囲内であると判定され、かつ、温度判定部１５ｄによって第一燃焼部温度が所定温度範囲内であると判定された状態が第一所定時間Ｔ１継続する毎に、燃料流量設定部１５ａによって設定された燃料ガスの流量を第一流量から段階的に減少させるように変更する燃料流量変更部１５ｆと、を備えている。【選択図】  図４
2019121466.tif 000002
【特許請求の範囲】
【請求項１】
燃料ガスと酸化剤ガスとから発電する燃料電池と、
前記燃料電池に前記燃料ガスを供給する燃料供給部と、
前記燃料電池に前記酸化剤ガスを供給する酸化剤ガス供給部と、
前記燃料電池から導出された燃料オフガスと酸化剤オフガスとを燃焼させる燃焼部と、
前記燃料電池によって発電された発電電力を検知する電力検知装置と、
前記燃焼部の温度である燃焼部温度を検出する温度センサと、
前記燃料電池を少なくとも制御する制御装置と、を備えた燃料電池システムであって、
前記制御装置は、
前記電力検知装置によって検知された前記発電電力に基づいて、前記燃料供給部によって供給される前記燃料ガスの流量を第一流量に設定する燃料流量設定部と、
前記電力検知装置によって検知された前記発電電力が所定電力範囲内であるか否かを判定する電力判定部と、
前記温度センサによって検出された前記燃焼部温度が所定温度範囲内であるか否かを判定する温度判定部と、
前記電力判定部によって前記発電電力が前記所定電力範囲内であると判定され、かつ、前記温度判定部によって前記燃焼部温度が前記所定温度範囲内であると判定された状態が第一所定時間継続する毎に、前記燃料流量設定部によって設定された前記燃料ガスの流量を前記第一流量から段階的に減少させるように変更する燃料流量変更部と、を備えている燃料電池システム。
【請求項２】
前記燃料流量変更部は、前記燃料電池の燃料利用率を高くするように、前記燃料ガスの流量を減少させるように変更する請求項１に記載の燃料電池システム。
【請求項３】
前記制御装置は、
前記電力検知装置によって検知された前記発電電力に基づいて、前記酸化剤ガス供給部によって供給される前記酸化剤ガスの流量を第二流量に設定する酸化剤ガス流量設定部と、
前記燃料流量変更部によって前記燃料ガスの流量が変更される場合、前記燃料オフガスの流量に対する前記酸化剤オフガスの流量の割合が所定比率以上となるように、前記酸化剤ガスの流量を前記酸化剤ガス流量設定部によって設定された前記第二流量から変更する酸化剤ガス流量変更部と、をさらに備えている請求項１または請求項２に記載の燃料電池システム。
【請求項４】
前記制御装置は、
前記燃焼部の燃焼状態が解消される吹き消えが発生しているか否かを判定する吹き消え判定部と、
前記燃料流量変更部によって前記燃料ガスの流量が変更された後、前記吹き消え判定部によって前記吹き消えが発生したと判定された場合、前記第一流量より少なく、かつ、前記吹き消え判定部によって前記吹き消えが発生したと判定された時点における前記燃料ガスの流量より多い流量を、前記燃料ガスの流量の下限値である下限燃料流量に設定する下限流量設定部と、をさらに備え、
前記燃料流量変更部は、
前記吹き消え判定部によって前記吹き消えが発生したと判定された後に、前記燃焼部が燃焼状態になった場合、
前記第一流量以下、かつ、前記下限流量設定部によって設定された前記下限燃料流量以上の前記燃料ガスの流量の範囲にて、前記燃料ガスの流量を前記第一流量から段階的に減少させるように変更する請求項１乃至請求項３の何れか一項に記載の燃料電池システム。
【発明の詳細な説明】
【技術分野】
【０００１】
本発明は、燃料電池システムに関する。
【背景技術】
【０００２】
燃料電池システムの一形式として、特許文献１に示されているものが知られている。特許文献１の図１に示されているように、燃料電池システムは、改質ガスを燃料ガスとして用いて発電する燃料電池、原料を改質した改質ガスを生成する改質器（改質部）、燃料電池の発電に利用されなかった燃料オフガスを燃焼させて改質器を加熱する燃焼部、および、改質部または燃焼部の温度を検出する温度検出部を備えている。
【０００３】
燃料電池システムは、温度検出部によって検出された温度に基づいて、改質部の温度または燃焼部の温度が、改質部における原料の改質に適した温度となるように、改質部に供給される原料の流量ひいては燃料電池に供給される燃料ガスの流量を制御する。これにより、改質効率を維持しつつ、燃料電池の発電効率の向上を図ることができる。燃料電池の発電効率は、燃料電池が発電する電力に対して燃料電池に供給される燃料ガスの流量が少ないほど高くなる。
【先行技術文献】
【特許文献】
【０００４】
【特許文献１】国際公開２０１０／０１０６９９号
【発明の概要】
【発明が解決しようとする課題】
【０００５】
上述した特許文献１の燃料電池システムにおいては、改質効率を維持しつつ改質部の温度または燃焼部の温度を制御しているため、燃焼部においては、十分に安定した燃焼状態を保つ必要がある。このため、燃焼部を燃焼させる燃料オフガスの流量ひいては燃料ガスの流量は、燃焼部にて燃料オフガスを燃焼させるための最小限必要な燃料ガスの流量に対して余裕のある流量となる。一方で、燃料電池の発電効率をさらに向上させたいとの要望がある。
【０００６】
本発明は、上述した問題を解消するためになされたもので、燃料電池システムにおいて、燃料電池の発電の高効率化を図ることを目的とする。
【課題を解決するための手段】
【０００７】
上記の課題を解決するため、請求項１に係る燃料電池システムは、燃料ガスと酸化剤ガスとから発電する燃料電池と、燃料電池に燃料ガスを供給する燃料供給部と、燃料電池に酸化剤ガスを供給する酸化剤ガス供給部と、燃料電池から導出された燃料オフガスと酸化剤オフガスとを燃焼させる燃焼部と、燃料電池によって発電された発電電力を検知する電力検知装置と、燃焼部の温度である燃焼部温度を検出する温度センサと、燃料電池を少なくとも制御する制御装置と、を備えた燃料電池システムであって、制御装置は、電力検知装置によって検知された発電電力に基づいて、燃料供給部によって供給される燃料ガスの流量を第一流量に設定する燃料流量設定部と、電力検知装置によって検知された発電電力が所定電力範囲内であるか否かを判定する電力判定部と、温度センサによって検出された燃焼部温度が所定温度範囲内であるか否かを判定する温度判定部と、電力判定部によって発電電力が所定電力範囲内であると判定され、かつ、温度判定部によって燃焼部温度が所定温度範囲内であると判定された状態が第一所定時間継続する毎に、燃料流量設定部によって設定された燃料ガスの流量を第一流量から段階的に減少させるように変更する燃料流量変更部と、を備えている。
【発明の効果】
【０００８】
これによれば、燃料電池によって発電された発電電力が所定電力範囲内であり、かつ、燃焼部の温度が所定温度範囲内である状態が第一所定時間継続する毎に、燃料ガスの流量が段階的に減少する。すなわち、発電電力が安定している状態かつ燃焼部の燃焼状態が安定している状態にて、燃料ガスの流量を段階的に減少させることができる。よって、燃焼部の燃焼状態を確認しつつ、燃焼部にて燃料オフガスを燃焼させるための最小限必要な燃料ガスの流量にまで燃料ガスの流量を減少させることができる。したがって、燃料電池システムにおいて、燃料電池の発電の高効率化を図ることができる。
【図面の簡単な説明】
【０００９】
【図１】本発明の一実施形態における燃料電池システムの概要図である。
【図２】図１に示す燃料電池システムのブロック図である。
【図３Ａ】図１に示す制御装置が実行するフローチャートである。
【図３Ｂ】図１に示す制御装置が実行するフローチャートである。
【図４】図３Ａおよび図３Ｂに示すフローチャートが実行された場合の燃料電池システムの動作を示すタイムチャートであり、上から下に順に、燃料利用率、燃料ガスの流量、空気利用率、空気の流量、発電電力、第一燃焼部温度および第二燃焼部温度を示している。
【発明を実施するための形態】
【００１０】
以下、本発明による燃料電池システムの一実施形態について説明する。燃料電池システム１は、図１に示すように、発電ユニット１０および貯湯槽２１を備えている。
【００１１】
発電ユニット１０は、筐体１０ａ、燃料電池モジュール１１、熱交換器１２、電力変換装置１３、水タンク１４、制御装置１５を備えている。燃料電池モジュール１１は、後述するように燃料電池３４を少なくとも含んで構成されるものである。
【００１２】
熱交換器１２は、燃料電池モジュール１１の排気口３１ａから排気される燃焼排ガスが供給されるとともに貯湯槽２１からの貯湯水が供給され、燃焼排ガスと貯湯水とが熱交換する熱交換器である。熱交換器１２は排気口３１ａに接続された排気管１１ｄが接続（貫設）されている。熱交換器１２は、水タンク１４に接続されている凝縮水供給管１２ａが接続されている。
【００１３】
貯湯槽２１は、貯湯水を貯湯するものであり、貯湯水が循環する（図にて矢印の方向に循環する）貯湯水循環ライン２２が接続されている。貯湯水循環ライン２２上には、下端から上端に向かって順番に貯湯水循環ポンプ２２ａおよび熱交換器１２が配置されている。
【００１４】
熱交換器１２において、燃料電池モジュール１１からの燃焼排ガスは、排気管１１ｄを通って熱交換器１２内に導入され、貯湯水との間で熱交換が行われて冷却されるとともに、燃焼排ガス中に含まれる水蒸気が凝縮される。冷却後の燃焼排ガスは排気管１１ｄを通って外部に排出される。また、凝縮された凝縮水は、凝縮水供給管１２ａを通って水タンク１４に供給される。水タンク１４は、凝縮水をイオン交換樹脂によって純水化し、改質水として貯留する。
【００１５】
上述した熱交換器１２、貯湯槽２１および貯湯水循環ライン２２から、排熱回収システム２０が構成されている。排熱回収システム２０は、燃料電池モジュール１１の排熱を貯湯水に回収して蓄える。
【００１６】
さらに、電力変換装置１３は、燃料電池３４から出力される直流電圧を入力し所定の交流電圧に変換して、交流の系統電源１６ａおよび外部電力負荷１６ｃ（例えば電化製品）に接続されている電源ライン１６ｂに出力する。
【００１７】
また、電力変換装置１３は、系統電源１６ａからの交流電圧を電源ライン１６ｂを介して入力し所定の直流電圧に変換して、後述する補機（各ポンプ１１ａ１，１１ｂ１、ブロワ１１ｃ１など）や制御装置１５に出力する。
【００１８】
制御装置１５は、少なくとも燃料電池３４を制御するものである。制御装置１５は、補機を駆動して燃料電池システム１の運転を制御する。制御装置１５は、燃料電池システム１の発電運転中において、燃料電池３４の発電電力を外部電力負荷１６ｃの消費電力となるように制御する（負荷追従運転）。
【００１９】
次に、燃料電池モジュールについて詳細に説明する。
燃料電池モジュール３０は、ケーシング３１、蒸発部３２、改質部３３および燃料電池３４を備えている。ケーシング３１は、断熱性材料で箱状に形成され、排気口３１ａが設けられている。
【００２０】
燃料電池モジュール３０は、蒸発部３２に、一端が供給源Ｇｓに接続されて改質用原料が供給される改質用原料供給管１１ａの他端が接続されている。供給源Ｇｓは、例えば都市ガスのガス供給管、ＬＰガスのガスボンベである。改質用原料供給管１１ａは、原料ポンプ１１ａ１が設けられている。原料ポンプ１１ａ１は、改質用原料を送るポンプである。原料ポンプ１１ａ１が改質用原料を送ることによって、後述するように、燃料ガスが燃料電池３４に供給される。原料ポンプ１１ａ１は、本発明の燃料供給部に相当する。
【００２１】
また、蒸発部３２には、一端（下端）が水タンク１４に接続されて改質水が供給される改質水供給管１１ｂの他端が接続されている。改質水供給管１１ｂは、改質水を送る改質水ポンプ１１ｂ１が設けられている。
【００２２】
また、燃料電池モジュール３０は、一端がカソードエアブロワ１１ｃ１に接続されてケーシング３１内に酸化剤ガスであるカソードエア（空気）が燃料電池に供給されるカソードエア供給管１１ｃの他端が接続されている。カソードエアブロワ１１ｃ１は、カソードエアを送るポンプである。カソードエアブロワ１１ｃ１は、後述するように、燃料電池３４にカソードエアを供給される。カソードエアブロワ１１ｃ１は、本発明の酸化剤ガス供給部に相当する。
【００２３】
蒸発部３２は、改質水から水蒸気を生成するものである。蒸発部３２は、具体的には、後述する燃焼ガスにより加熱されて、水タンク１４から供給された改質水を蒸発させて水蒸気を生成する。また、蒸発部３２は、供給源Ｇｓから供給された改質用原料を予熱する。
【００２４】
蒸発部３２は、このように生成された水蒸気と予熱された改質用原料とを混合して改質部３３に供給する。改質用原料としては天然ガス、ＬＰガスなどの改質用気体燃料、灯油、ガソリン、メタノールなどの改質用液体燃料があり、本実施形態においては天然ガスにて説明する。
【００２５】
改質部３３は、供給源Ｇｓからの改質用原料と蒸発部３２からの水蒸気とから改質ガスを生成して燃料電池３４に供給するものである。改質部３３は、具体的には、後述する燃焼ガスにより加熱されて水蒸気改質反応に必要な熱が供給されることで、蒸発部３２から供給された混合ガス（改質用原料、水蒸気）から改質ガスを生成して導出する。
【００２６】
改質部３３内には、触媒（例えば、ＲｕまたはＮｉ系の触媒）が充填されており、混合ガスが触媒によって反応し改質されて水素ガスと一酸化炭素などを含んだ改質ガスが生成されている（いわゆる水蒸気改質反応）。改質ガスは、水素、一酸化炭素、二酸化炭素、水蒸気、未改質の天然ガス（メタンガス）、改質に使用されなかった改質水（水蒸気）を含んでいる。なお、水蒸気改質反応は吸熱反応である。
【００２７】
燃料電池３４は、燃料ガスと酸化剤ガスにより発電するものである。燃料ガスは、改質ガスである。燃料電池３４は、燃料極、空気極（酸化剤極）、および両極の間に介装された電解質からなる複数のセル３４ａが積層されて構成されている。本実施形態の燃料電池３４は、固体酸化物形燃料電池であり、電解質として固体酸化物の一種である酸化ジルコニウムを使用している。
【００２８】
燃料電池３４の燃料極には、燃料として改質ガス（水素、一酸化炭素、メタンガスなど）が供給される。セル３４ａの燃料極側には、燃料ガス（改質ガス）が流通する燃料流路３４ｂが形成されている。セル３４ａの空気極側には、酸化剤ガスである空気（カソードエア）が流通する空気流路３４ｃが形成されている。燃料電池３４は、比較的高温の動作温度にて発電が行われる。
【００２９】
燃料電池３４は、マニホールド３５上に設けられている。マニホールド３５には、改質部３３からの改質ガスが改質ガス供給管３９を介して供給される。燃料流路３４ｂは、その下端（一端）がマニホールド３５の燃料導出口（図示なし）に接続されており、その燃料導出口から導出される改質ガスが下端から導入され上端から導出されるようになっている。
【００３０】
カソードエアブロワ１１ｃ１によって送出されたカソードエアはカソードエア供給管１１ｃを介して供給され、空気流路３４ｃの下端から導入され上端から導出されるようになっている。
【００３１】
また、燃料電池３４と蒸発部３２および改質部３３との間には、第一燃焼部３６（本発明の燃焼部に相当）が設けられている。第一燃焼部３６は、燃料電池３４から導出された燃料オフガスと酸化剤オフガスとを燃焼させるものである。すなわち、第一燃焼部３６は、燃料オフガスが燃焼する空間である。燃料オフガスは、発電に利用されなかった燃料ガス（改質ガス）である。酸化剤オフガスは、発電に利用されなかった酸化剤ガス（カソードエア（空気））である。第一燃焼部３６には、燃料オフガスを着火させるための一対の着火ヒータ３６ａが設けられている。
【００３２】
第一燃焼部３６は、燃料オフガスが燃焼されて燃焼ガス（火炎３７）が発生している。その燃焼ガスが蒸発部３２および改質部３３を加熱する。また、第一燃焼部３６は、燃料電池モジュール３０内の温度を燃料電池３４の動作温度にする。さらに、第一燃焼部３６では、燃料オフガスが燃焼されて、比較的高温の燃焼排ガスが発生している。比較的高温の燃焼排ガスは、排気口３１ａおよび排気管１１ｄを介して熱交換器１２に導出される。
【００３３】
また、排気口３１ａには、第二燃焼部３８が設けられている。第二燃焼部３８は、燃焼排ガスのうち第一燃焼部３６で燃焼されなかった燃料オフガスを可燃性ガス（未燃焼可燃性ガス）として導入し、燃焼して導出するものである。未燃焼可燃性ガスは、例えば、水素、メタンガス、一酸化炭素などである。第二燃焼部３８は、可燃性ガスを燃焼する触媒である燃焼触媒（例えばセラミックハニカムまたは、メタルハニカムと貴金属の触媒である。）で構成されている。
【００３４】
第二燃焼部３８には、燃焼触媒ヒータ３８ａが設けられている。燃焼触媒ヒータ３８ａは、未燃焼可燃性ガスを燃焼させる燃焼触媒を加熱するものである。燃焼触媒ヒータ３８ａは、燃焼触媒を触媒の活性温度まで加熱する。
【００３５】
また、燃料電池システム１は、電流センサ４０ａ、電圧センサ４０ｂ、第一温度センサ４１（本発明の温度センサに相当）、および、第二温度センサ４２をさらに備えている。
【００３６】
電流センサ４０ａは、燃料電池３４の発電電流を検出するものである。電圧センサ４０ｂは、燃料電池３４の発電電圧を検出するものである。電流センサ４０ａおよび電圧センサ４０ｂは、電力変換装置１３に配置されている。電流センサ４０ａの検出結果および電圧センサ４０ｂの検出結果は、制御装置１５に出力される。
【００３７】
第一温度センサ４１は、第一燃焼部３６の温度である第一燃焼部温度（本発明の燃焼部温度に相当）を検出するものである。第一温度センサ４１は、第一燃焼部３６において火炎３７が直接接触しない部位に配置され、配置された位置の温度を検出する。第一温度センサ４１の検出結果は、制御装置１５に出力される。
【００３８】
第二温度センサ４２は、第二燃焼部３８の温度である第二燃焼部温度を検出するものである。第二温度センサ４２は、第二燃焼部３８に配置された位置の温度を検出する。第二温度センサ４２の検出結果は、制御装置１５に出力される。
【００３９】
次に、制御装置１５について詳細に説明する。制御装置１５は、図２に示すように、電力算出部１５０、燃料流量設定部１５ａ、ポンプ駆動部１５ｂ、電力判定部１５ｃ、温度判定部１５ｄ、第一状態判定部１５ｅ、燃料流量変更部１５ｆ、空気流量設定部１５ｇ（本発明の酸化剤ガス流量設定部に相当）、ブロワ駆動部１５ｈ、空気流量変更部１５ｉ（本発明の酸化剤ガス流量変更部に相当）、第二状態判定部１５ｊ、吹き消え判定部１５ｋ、下限流量設定部１５ｍおよび着火制御部１５ｎを備えている。
【００４０】
電力算出部１５０は、電流センサ４０ａの検出結果および電圧センサ４０ｂの検出結果を用いて燃料電池３４の発電電力を算出するものである。このように、電流センサ４０ａ、電圧センサ４０ｂおよび電力算出部１５０は、燃料電池３４によって発電された発電電力を検知する電力検知装置４０に相当する。なお、電力検知装置４０において、電流センサ４０ａおよび電圧センサ４０ｂに代えて、燃料電池３４の発電電力を検出する電力センサとしても良い。この場合、電力算出部１５０を、電力センサの検出結果を取得する電力取得部とする。
【００４１】
燃料流量設定部１５ａは、電力算出部１５０によって算出された発電電力に基づいて、原料ポンプ１１ａ１によって供給される燃料ガスの流量（単位時間当たりの流量）を第一流量に設定するものである。燃料流量設定部１５ａは、燃料電池３４の発電電力と第一流量との相関関係を示す第一マップ（図示なし）を使用して、電力算出部１５０によって算出された発電電力から第一流量を導出する。第一マップは、制御装置１５の記憶部（図示なし）に記憶されている。
【００４２】
ポンプ駆動部１５ｂは、原料ポンプ１１ａ１によって送出される改質用原料ひいては燃料ガスの流量が燃料流量設定部１５ａによって設定された第一流量となるように、原料ポンプ１１ａ１の駆動量を制御するものである。原料ポンプ１１ａ１は、ＰＷＭ（Ｐｕｌｓｅ  Ｗｉｄｔｈ  Ｍｏｄｕｌａｔｉｏｎ）制御されているため、原料ポンプ１１ａ１への制御指令値は、デューティ比にて算出される。
【００４３】
電力判定部１５ｃは、電力算出部１５０によって算出された発電電力が所定電力範囲内であるか否かを判定するものである。所定電力範囲は、例えば上限を燃料電池３４の最大出力値とし、下限を燃料電池３４の最大出力値の９０％とする範囲である。
【００４４】
温度判定部１５ｄは、第一温度センサ４１によって検出された第一燃焼部温度が所定温度範囲内であるか否かを判定するものである。所定温度範囲は、第一燃焼部３６が燃焼状態である場合であって、燃料電池３４が所定電力範囲内にて動作している場合における第一温度センサ４１の配置された位置の温度に基づいて設定されている。所定温度範囲は、予め実験等によって実測されて導出されている。
【００４５】
第一状態判定部１５ｅは、電力判定部１５ｃによって発電電力が所定電力範囲内であると判定され、かつ、温度判定部１５ｄによって第一燃焼部温度が所定温度範囲内であると判定された状態（以下、第一状態とする。）が第一所定時間Ｔ１継続したか否かを判定するものである。第一所定時間Ｔ１は、例えば２分である。
【００４６】
燃料流量変更部１５ｆは、第一状態判定部１５ｅによって第一状態が第一所定時間Ｔ１継続したと判定される毎に、燃料流量設定部１５ａによって設定された燃料ガスの流量を第一流量から段階的に減少させるように変更するものである（詳細は後述する）。
【００４７】
燃料流量変更部１５ｆは、例えば、燃料ガスの流量を第一所定流量ずつ減少させる。第一所定流量は、例えば、燃料ガスの最大流量（燃料電池３４の最大出力時の燃料ガスの流量に相当）のおよそ２％に設定されている。
【００４８】
また、燃料流量変更部１５ｆは、燃料電池３４の燃料利用率が高くなるように、燃料ガスの流量を減少させるように変更する。燃料電池３４の燃料利用率は、燃料電池３４に供給される燃料ガスの流量に対する燃料電池３４の発電に利用される燃料ガスの流量の割合（燃料利用率＝（燃料電池３４の発電に利用される燃料ガスの流量）／（燃料電池３４に供給される燃料ガスの流量））である。燃料流量変更部１５ｆは、具体的には、発電に利用される燃料ガスの流量を変更せずに、発電に利用されずに燃料電池３４から導出される燃料オフガスの流量を減少させるように、燃料ガスの流量を減少させる。
【００４９】
また、燃料流量変更部１５ｆは、吹き消え判定部１５ｋによって吹き消えが発生したと判定された後に、第一燃焼部３６が燃焼状態になった場合、第一流量以下、かつ、下限流量設定部１５ｍによって設定された下限燃料流量以上の燃料ガスの流量の範囲にて、燃料ガスの流量を第一流量から段階的に減少させるように変更する（詳細は後述する）。
【００５０】
空気流量設定部１５ｇは、電力算出部１５０によって算出された発電電力に基づいて、カソードエアブロワ１１ｃ１によって供給される空気の流量（単位時間当たりの流量）を第二流量に設定するものである。空気流量設定部１５ｇは、燃料電池３４の発電電力と第二流量との相関関係を示す第二マップ（図示なし）を使用して、電力算出部１５０によって算出された発電電力から第二流量を導出する。第二マップは、制御装置１５の記憶部に記憶されている。
【００５１】
ブロワ駆動部１５ｈは、カソードエアブロワ１１ｃ１によって送出される空気の流量が空気流量設定部１５ｇによって設定された第二流量となるように、カソードエアブロワ１１ｃ１の駆動量を制御するものである。カソードエアブロワ１１ｃ１は、ＰＷＭ制御されているため、カソードエアブロワ１１ｃ１への制御指令値は、デューティ比にて算出される。
【００５２】
空気流量変更部１５ｉは、燃料流量変更部１５ｆによって燃料ガスの流量が変更される場合、空気の流量を空気流量設定部１５ｇによって設定された第二流量から変更するものである。空気流量変更部１５ｉは、空気の流量を減少させる場合に、空気利用率が高くなるようにする。
【００５３】
空気利用率は、燃料電池３４に供給される空気の流量に対する燃料電池３４の発電に利用される空気の流量の割合（空気利用率＝（燃料電池３４の発電に利用される空気の流量）／（燃料電池３４に供給される空気の流量））である。空気流量変更部１５ｉは、具体的には、発電に利用される空気の流量を変更せずに、発電に利用されずに燃料電池３４から導出される空気（酸化剤オフガス）の流量を減少させるように、空気の流量を減少させる。
【００５４】
また、空気流量変更部１５ｉは、燃料オフガスの流量に対する酸化剤オフガスの流量の割合が所定比率以上となるように、空気の流量を第二流量から変更する。所定比率は、１より大きい値に設定されている。
【００５５】
空気流量変更部１５ｉは、具体的には、燃料流量変更部１５ｆによって燃料ガスの流量が実際に変更される前に、空気の流量を、第二流量から第二所定流量だけ少なくするように変更する（詳細は後述する）。第二所定流量は、燃料ガスの流量が第一流量、あるいは第一流量から変更された場合においても、燃料オフガスの流量に対する酸化剤オフガスの流量の割合が所定比率以上となるように設定されている。
【００５６】
第二状態判定部１５ｊは、空気流量変更部１５ｉによって空気の流量が変更された場合、温度判定部１５ｄによって第一燃焼部温度が所定温度範囲内であると判定された状態（以下、第二状態とする。）が第二所定時間Ｔ２継続したか否かを判定するものである。
【００５７】
第二状態判定部１５ｊによって第二状態が第二時間継続したと判定された場合、燃料流量設定部１５ａによって設定された燃料ガスの流量が燃料流量変更部１５ｆによって変更される（詳細は後述する）。第二所定時間Ｔ２は、本実施形態においては第一所定時間Ｔ１より短い時間（例えば１分）に設定されている。
【００５８】
吹き消え判定部１５ｋは、第二温度センサ４２によって検出された第二燃焼部温度から、第一燃焼部３６の燃焼状態が解消される吹き消えが発生しているか否かを判定するものである。第一燃焼部３６の吹き消えは、第一燃焼部３６の少なくとも一部の燃焼状態が解消（終了）することである。第一燃焼部３６の吹き消えは、想定されていない燃料ガスの濃度や流量の変化によって生じる。
【００５９】
燃料電池システム１の発電運転中において第一燃焼部３６が燃焼状態であるときにおいて、第一燃焼部３６の少なくとも一部が吹き消えた場合、第二燃焼部３８によって燃焼される上述した未燃焼可燃性ガスの流量が増加するため、第二燃焼部３８の温度が上昇する。これにより、第二温度センサ４２の検出温度が第一判定温度以上となった場合、吹き消え判定部１５ｋは、第一燃焼部３６の吹き消えが発生したと判定する。第一判定温度は、予め実験等によって実測されて導出されている。
【００６０】
下限流量設定部１５ｍは、燃料流量変更部１５ｆによって燃料ガスの流量が変更された後、吹き消え判定部１５ｋによって吹き消えが発生したと判定された場合、第一流量より少なく、かつ、吹き消え判定部１５ｋによって吹き消えが発生したと判定された時点における燃料ガスの流量より多い流量を、燃料ガスの流量の下限値である下限燃料流量に設定する。
【００６１】
下限流量設定部１５ｍは、具体的には、下限燃料流量を、吹き消えが発生したと判定された時点の燃料ガスの流量に対して、燃料流量変更部１５ｆによって変更される直前の燃料ガスの流量に設定する。すなわち、下限燃料流量は、吹き消えが発生したと判定された時点の燃料ガスの流量から、第一所定流量だけ多い燃料ガスの流量に設定される。
【００６２】
着火制御部１５ｎは、吹き消え判定部１５ｋによって吹き消えが発生したと判定された場合、第一燃焼部３６を着火する着火制御を実行するものである。着火制御部１５ｎは、着火ヒータをオンして着火制御を開始する。着火制御部１５ｎは、第一温度センサ４１によって検出された第一燃焼部温度が第二判定温度以上となった場合、着火制御を終了する。第二判定温度は、予め実験等によって導出されて設定されている。
【００６３】
なお、着火制御部１５ｎは、着火制御が開始された時点から、第三所定時間（例えば３０秒）経過した時点においても、第一燃焼部３６が着火されない場合、例えば原料ポンプ１１ａ１の異常により燃料が供給されていないことが考えられる。この場合、着火制御部１５ｎは、燃料電池システム１をシャットダウンする。
【００６４】
次に、上述した燃料電池システム１が実行する高効率発電運転について、図３Ａおよび図３Ｂに示すフローチャートを用いて説明する。高効率発電運転は、燃料電池システム１の発電運転中において、燃料電池３４の発電効率の向上させる運転である。なお、下限燃料流量の初期値は、ゼロに設定されている。
【００６５】
燃料電池システム１の発電運転中において、高効率発電運転が実行されていない場合、通常発電運転が実行される。通常発電運転は、上述した負荷追従運転であり、燃料電池３４の発電電力に応じて、燃料ガスの流量が第一流量に設定され（燃料流量設定部１５ａ）、かつ空気の流量が第二流量に設定されて（空気流量設定部１５ｇ）、燃料電池３４において発電が行われる。
【００６６】
制御装置１５は、通常発電運転が行われている場合に、ステップＳ１０２にて、吹き消えが発生したか否かを判定する（吹き消え判定部１５ｋ）。例えば改質用原料の濃度の変動により燃料オフガスの濃度に変動が生じて第一燃焼部３６の吹き消えが発生した場合、上述したように第二燃焼部３８の温度が上昇する。これにより、第二温度センサ４２によって検出された第二燃焼部温度が第一判定温度以上となった場合、制御装置１５は、ステップＳ１０２にて「ＹＥＳ」と判定し、ステップＳ１０４にて着火制御を実行する（着火制御部１５ｎ）。
【００６７】
改質用原料の濃度の変動が解消され、着火ヒータ３６ａがオンされたことにより、第一燃焼部３６が着火されたために、第一温度センサ４１によって検出された第一燃焼部温度が第二判定温度以上となった場合、着火制御が終了する。続けて、制御装置１５は、プログラムをステップＳ１０２に戻し、通常発電運転を継続する。
【００６８】
一方、第一燃焼部３６の燃焼状態が安定しており、第一燃焼部３６にて吹き消えが発生していない場合、制御装置１５は、ステップＳ１０２にて「ＮＯ」と判定し、ステップＳ１０６にて、第一状態（発電電力が所定電力範囲内であり、かつ、第一燃焼部温度が所定温度範囲内である状態）が、第一所定時間Ｔ１継続したか否かを判定する（電力判定部１５ｃ、温度判定部１５ｄ、第一状態判定部１５ｅ）。
【００６９】
例えば外部電力負荷１６ｃの消費電力ひいては発電電力が変動したことにより発電電力が所定電力範囲から外れたため、または、第一燃焼部３６の燃焼状態が不安定になって第一燃焼部温度が所定温度範囲から外れたために、第一所定時間Ｔ１が経過する前に第一状態が解消された場合、制御装置１５は、ステップＳ１０６にて「ＮＯ」と判定する。そして、制御装置１５は、プログラムをステップＳ１０２に戻して、第一燃焼部３６の燃焼状態が継続している間、ステップＳ１０２，Ｓ１０６を繰り返し実行する。
【００７０】
一方、外部電力負荷１６ｃの消費電力の変動が比較的小さく、かつ第一燃焼部３６の燃焼状態が安定しているために、第一状態が第一所定時間Ｔ１継続した場合、制御装置１５は、ステップＳ１０６にて「ＹＥＳ」と判定し、ステップＳ１０８にて空気の流量を変更する（空気流量変更部１５ｉ）。
【００７１】
続けて制御装置１５は、ステップＳ１１０にてステップＳ１０２と同様に、吹き消えが発生したか否かを判定する（吹き消え判定部１５ｋ）。この吹き消えは、例えば空気の流量が変更されて第一燃焼部３６の燃焼状態が不安定となることにより発生する。
【００７２】
上述したステップＳ１０８にて空気の流量が変更されて、第一燃焼部３６の吹き消えが発生したことにより、第二燃焼部温度が第一判定温度以上となった場合、制御装置１５は、ステップＳ１１０にて「ＹＥＳ」と判定し、ステップＳ１１２にて空気の流量を第二流量に戻す。さらに、制御装置１５は、ステップＳ１０４にて着火制御を実行する（着火制御部１５ｎ）。そして、上述したように着火制御が終了した場合、プログラムをステップＳ１０２に戻し、通常発電運転を継続する。
【００７３】
一方、ステップＳ１０８にて空気の流量が変更されたときにおいても、第一燃焼部３６にて吹き消えが発生していない場合、制御装置１５は、ステップＳ１１０にて「ＮＯ」と判定し、ステップＳ１１４にて第二状態（第一燃焼部温度が所定温度範囲内である状態）が第二所定時間Ｔ２継続したか否かを判定する（第二状態判定部１５ｊ）。
【００７４】
例えば比較的長期間の使用により燃料電池３４が劣化している状態において、空気の流量が変更されたとき、第一燃焼部温度が上昇する。これにより、第一燃焼部温度が所定温度範囲から外れたために、第二所定時間Ｔ２が経過する前に第二状態が解消された場合、制御装置１５は、ステップＳ１１４にて「ＮＯ」と判定する。そして、第一燃焼部３６の燃焼状態が継続している間、ステップＳ１１０，Ｓ１１４を繰り返し実行する。
【００７５】
なお、上述したように燃料電池３４が劣化しているときに、後述する高効率発電運転によって燃料利用率を上げるように燃料ガスの流量を変更した場合、燃料電池３４の劣化がさらに促進することが考えられる。すなわち、高効率発電運転が実行される前に、空気の流量を変更することにより、高効率発電運転を実際に実行してもよいか、確認することができる。
【００７６】
一方、空気の流量が変更されても第一燃焼部３６の燃焼状態が安定しており、第二状態が第二所定時間Ｔ２継続した場合、制御装置１５は、ステップＳ１１４にて「ＹＥＳ」と判定し、ステップＳ１１６にて高効率運転を開始する。
【００７７】
制御装置１５は、ステップＳ１１８にて、変更後の燃料ガスの流量が下限燃料流量以上であるか否かを判定する。下限燃料流量が初期値（ゼロ）である場合、現時点の燃料ガスの流量である第一流量が、第一所定流量だけ減少するように変更された場合においても下限燃料流量以上となるため、制御装置１５は、ステップＳ１１８にて「ＹＥＳ」と判定し、ステップＳ１２０にて燃料ガスの流量を変更する（燃料流量変更部１５ｆ）。
【００７８】
続けて、制御装置１５は、ステップＳ１２２にてステップＳ１０２と同様に、吹き消えが発生したか否かを判定する（吹き消え判定部１５ｋ）。燃料ガスの流量が変更されても第一燃焼部３６の吹き消えが発生していない場合、制御装置１５は、ステップＳ１２２にて「ＮＯ」と判定し、ステップＳ１２４にてステップＳ１０６と同様に、第一状態が第一所定時間Ｔ１継続したか否かを判定する（電力判定部１５ｃ、温度判定部１５ｄ、第一状態判定部１５ｅ）。
【００７９】
外部電力負荷１６ｃの使用ひいては消費電力の変動が比較的小さく、かつ燃料ガスの流量が変更されても第一燃焼部３６の燃焼状態が安定しているために、第一状態が第一所定時間Ｔ１継続した場合、制御装置１５は、ステップＳ１２４にて「ＹＥＳ」と判定し、プログラムをステップＳ１１８に戻す。
【００８０】
このように、第一燃焼部３６の吹き消えが発生せず、かつ、変更後の燃料ガスの流量が下限燃料流量以上である場合であって、第一状態が継続する場合、上述したステップＳ１１８〜Ｓ１２４が繰り返し実行される。これにより、燃料ガスの流量が、第一所定時間Ｔ１毎に、段階的に第一所定流量だけ減少するように変更される。
【００８１】
一方、後述するように下限燃料流量がゼロより大きい流量に設定された後に、上述したステップＳ１１８〜Ｓ１２４が繰り返し実行されている場合において、変更後の燃料ガスの流量が下限燃料流量より少なくなる場合、制御装置１５は、ステップＳ１１８にて「ＮＯ」と判定し、燃料ガスの流量を変更せずに、ステップＳ１２２，Ｓ１２４を実行した後にステップＳ１１８に戻す。すなわち、この場合、燃料ガスの流量が変更されずに高効率発電運転が継続する。
【００８２】
また、上述したステップＳ１１８〜Ｓ１２４が繰り返し実行されている場合において、第一燃焼部３６において吹き消えが発生した場合、制御装置１５は、ステップＳ１２２にて「ＹＥＳ」と判定する。この場合、制御装置１５は、ステップＳ１２６にて下限燃料流量を設定し（下限流量設定部１５ｍ）、ステップＳ１２８にて高効率発電運転を終了する。これにより、通常発電運転が再度実行される。さらに制御装置１５は、ステップＳ１３０にてステップＳ１０４と同様に着火制御を実行し（着火制御部１５ｎ）、プログラムをステップＳ１０２に戻す。
【００８３】
さらに、上述したステップＳ１１８〜Ｓ１２４が繰り返し実行されている場合において、外部電力負荷１６ｃが変動して発電電力が所定電力範囲から外れたため、または燃料ガスの流量が減少して第一燃焼部３６の燃焼状態が不安定になったことにより第一燃焼部温度が所定温度範囲から外れたために、第一所定時間Ｔ１が経過する前に第一状態が解消された場合、制御装置１５は、ステップＳ１２４にて「ＮＯ」と判定する。続けて、制御装置１５は、ステップＳ１３２にて高効率発電を終了して、プログラムをステップＳ１０２に戻す。
【００８４】
次に、上述したフローチャートが実行された場合における燃料電池システム１の動作について、図４のタイムチャートを用いて説明する。発電電力が所定電力範囲内であり、第一燃焼部温度が所定温度範囲内であり、かつ、下限燃料流量が初期値（ゼロ）である状態にて通常発電運転が開始された時点（時刻ｔ１）から説明する。
【００８５】
通常発電運転が開始された時点（時刻ｔ１）から、吹き消えが発生せず、第一状態（発電電力が所定電力範囲内であり、かつ、第一燃焼部温度が所定温度範囲内である状態）が第一所定時間Ｔ１経過した時点に（時刻ｔ２）、制御装置１５は、空気利用率が増加するように、空気の流量を第二流量から第二所定流量だけ減少するように変更する（ステップＳ１０８）。
【００８６】
空気の流量が変更された時点（時刻ｔ２）から、吹き消えが発生せず、かつ、第二状態（第一燃焼部３６の温度が所定温度範囲内である状態）が第二所定時間Ｔ２が経過した時点に（時刻ｔ３）、高効率発電運転が開始されて（ステップＳ１１６）、燃料利用率が増加するように、燃料ガスの流量が第一流量から第一所定流量だけ減少するように第三流量に変更される（ステップＳ１２０）。この場合、燃料オフガスの流量が減少するため、第一燃焼部温度が僅かに低下する。
【００８７】
燃料ガスの流量が第三流量に変更された時点（時刻ｔ３）から、吹き消えが発生せず、第一状態が継続しているため、第一所定時間Ｔ１が経過する毎に、第一所定時間Ｔ１が経過した時点に（時刻ｔ４，ｔ５）、燃料ガスの流量が第一所定流量だけ減少するように第四流量、第五流量の順に変更される（ステップＳ１２０）。
【００８８】
そして、この燃料ガスの流量が第五流量に変更された時点（時刻ｔ５）から第一所定時間Ｔ１が経過する前に、燃料ガスの流量が低下して燃料オフガスの流量が不足したために、吹き消えが発生（時刻ｔ６）したことにより、第一燃焼部温度が徐々に低下するとともに、第二燃焼部温度が上昇する。
【００８９】
そして、第二燃焼部温度が第一判定温度以上となった時点（時刻ｔ７）に、下限燃料流量が設定される（ステップＳ１２６）。この場合、燃料ガスの流量が第五流量である場合に吹き消えが発生したと判定されたため、第五流量に変更される直前の第四流量が下限燃料流量に設定される。
【００９０】
さらに、高効率発電運転が終了して通常発電運転に戻るため（ステップＳ１２８）、燃料ガスの流量が第一流量に設定され、空気の流量が第二流量に設定される。続けて、着火制御が開始される（ステップＳ１３０）。これにより、第一燃焼部３６が着火されて第一燃焼部温度が上昇し、第一燃焼部温度が第二判定温度に到達した時点に（時刻ｔ８）、着火制御が終了される。
【００９１】
着火制御が終了した時点（時刻ｔ８）から、吹き消えが発生せず、第一状態が第一所定時間Ｔ１が経過した時点に（時刻ｔ９）、空気の流量を変更する（ステップＳ１０８）。さらに、吹き消えが発生せず、かつ、第二状態が第二所定時間Ｔ２が経過した時点に（時刻ｔ１０）、高効率発電運転が開始される（ステップＳ１１６）。
【００９２】
そして、吹き消えが発生せず、第一状態が継続している間、第一所定時間Ｔ１が経過する毎に、第一所定時間Ｔ１が経過した時点に、燃料ガスの流量が第三流量、第四流量の順に変更される（時刻ｔ１０，ｔ１１）。上述したように、下限燃料流量が第四流量に設定されているため、燃料ガスの流量が第四流量に設定された時点（時刻ｔ１１）から第一所定時間Ｔ１が経過した時点においても（時刻ｔ１２）、燃料ガスの流量が変更されない。
【００９３】
そして、外部電力負荷１６ｃが変動して発電電力が低下したため、所定電力範囲から外れたことにより、第一状態が解消された時点（時刻ｔ１３）に、高効率発電運転が終了して通常発電運転が再度実行される（ステップＳ１２４，Ｓ１３２）。さらに、外部電力負荷１６ｃが変動して発電電力が高くなることにより、発電電力が所定電力範囲内となった時点（時刻ｔ１４）から、吹き消えが発生せず、第一状態が第一所定時間Ｔ１継続した時点（時刻ｔ１５）に、空気の流量が変更される（ステップＳ１０８）。その後、吹き消えが発生せず、第一状態が継続する限り、第四流量を燃料ガスの流量の下限値とした高効率発電運転が継続される。
【００９４】
本実施形態によれば、燃料電池システム１は、燃料ガスと酸化剤ガスとから発電する燃料電池３４と、燃料電池３４に燃料ガスを供給する原料ポンプ１１ａ１と、燃料電池３４に酸化剤ガスを供給するカソードエアブロワ１１ｃ１と、燃料電池３４から導出された燃料オフガスと酸化剤オフガスとを燃焼させる第一燃焼部３６と、燃料電池３４によって発電された発電電力を検知する電力検知装置４０と、第一燃焼部３６の温度である第一燃焼部温度を検出する第一温度センサ４１と、燃料電池３４を少なくとも制御する制御装置１５と、を備えている。制御装置１５は、電力検知装置４０によって検知された発電電力に基づいて、原料ポンプ１１ａ１によって供給される燃料ガスの流量を第一流量に設定する燃料流量設定部１５ａと、電力検知装置４０によって検知された発電電力が所定電力範囲内であるか否かを判定する電力判定部１５ｃと、第一温度センサ４１によって検出された第一燃焼部温度が所定温度範囲内であるか否かを判定する温度判定部１５ｄと、電力判定部１５ｃによって発電電力が所定電力範囲内であると判定され、かつ、温度判定部１５ｄによって第一燃焼部温度が所定温度範囲内であると判定された状態（第一状態）が第一所定時間Ｔ１継続する毎に、燃料流量設定部１５ａによって設定された燃料ガスの流量を第一流量から段階的に減少させるように変更する燃料流量変更部１５ｆと、を備えている。
【００９５】
これによれば、第一状態が第一所定時間Ｔ１継続する毎に、燃料ガスの流量が段階的に減少する。すなわち、発電電力が安定している状態かつ第一燃焼部３６の燃焼状態が安定している状態にて、燃料ガスの流量を段階的に減少させることができる。よって、第一燃焼部３６の燃焼状態を確認しつつ、第一燃焼部３６にて燃料オフガスを燃焼させるための最小限必要な燃料ガスの流量にまで燃料ガスの流量を減少させることができる。したがって、燃料電池システム１において、燃料電池３４の発電の高効率化を図ることができる。
【００９６】
また、燃料流量変更部１５ｆは、燃料電池３４の燃料利用率を高くするように、燃料ガスの流量を変更する。
これによれば、燃料電池３４の発電電力を維持しつつ、燃料電池３４の発電の高効率化を図ることができる。
【００９７】
また、制御装置１５は、電力検知装置４０によって検知された発電電力に基づいて、カソードエアブロワ１１ｃ１によって供給される空気の流量を第二流量に設定する空気流量設定部１５ｇと、燃料流量変更部１５ｆによって燃料ガスの流量が変更される場合、燃料オフガスの流量に対する酸化剤オフガスの流量の割合が所定比率以上となるように、空気の流量を空気流量設定部１５ｇによって設定された第二流量から変更する空気流量変更部１５ｉと、をさらに備えている。
【００９８】
これによれば、燃料ガスの流量が変更される場合、燃料オフガスの流量に対する酸化剤オフガスの流量の割合が所定比率以上となるように、空気の流量が変更される。よって、第一燃焼部３６の燃焼状態がより安定した状態にて、燃料電池３４の発電の高効率化を図ることができる。
【００９９】
また、制御装置１５は、第一燃焼部３６の燃焼状態が解消される吹き消えが発生しているか否かを判定する吹き消え判定部１５ｋと、燃料流量変更部１５ｆによって燃料ガスの流量が変更された後、吹き消え判定部１５ｋによって吹き消えが発生したと判定された場合、第一流量より少なく、かつ、吹き消え判定部１５ｋによって吹き消えが発生したと判定された時点における燃料ガスの流量より多い流量を、燃料ガスの流量の下限値である下限燃料流量に設定する下限流量設定部１５ｍと、をさらに備えている。燃料流量変更部１５ｆは、吹き消え判定部１５ｋによって吹き消えが発生したと判定された後に、第一燃焼部３６が燃焼状態になった場合、第一流量以下、かつ、下限流量設定部１５ｍによって設定された下限燃料流量以上の燃料ガスの流量の範囲にて、燃料ガスの流量を第一流量から段階的に減少させるように変更する。
【０１００】
これによれば、燃料ガスの流量が減少して第一燃焼部３６の吹き消えが発生した後、第一燃焼部３６が再度燃焼状態となり、燃料ガスの流量の減少が再度実行される場合には、吹き消えが発生した時点の燃料ガスの流量より多い流量を、燃料ガスの流量の下限値とする。このため、吹き消えが発生した時点の燃料ガスの流量より多い流量にて、燃料ガスの流量の減少が再度実行される。よって、第一燃焼部３６の吹き消えの発生を抑制しつつ、燃料電池３４の発電の高効率化を図ることができる。
【０１０１】
なお、上述した実施形態において、燃料電池システムの一例を示したが、本発明はこれに限定されず、他の構成を採用することもできる。例えば、下限流量設定部１５ｍは、下限燃料流量を、吹き消えが発生したと判定された時点の燃料ガスの流量に対して、燃料流量変更部１５ｆによって変更される直前の燃料ガスの流量に設定しているが、これに対して、燃料流量変更部１５ｆによって変更される直前の燃料ガスの流量より多い流量に設定しても良い。
【０１０２】
また、上述した実施形態において、吹き消え判定部１５ｋは、第一燃焼部３６の吹き消えが発生したか否かを、第二燃焼部温度に基づいて判定しているが、これに代えて、第一燃焼部温度に基づいて判定するようにしてもよい。この場合、第一燃焼部温度が第二判定温度より低い第三判定温度以下となった場合、第一燃焼部３６の吹き消えが発生したと判定される。
【０１０３】
また、上述した実施形態において、高効率発電運転にて燃料ガスの流量が変更される前に、空気の流量が変更されているが、これに代えて、燃料ガスの流量の変更と同時に、または、燃料ガスの流量を変更した後に、空気の流量を変更しても良い。さらに、空気の流量の変更を燃料ガスの流量の変更と同様に、段階的に変更するようにしても良い。また、空気の流量を第二流量のまま変更しなくても良い。
【０１０４】
また、上述した実施形態において、燃料流量変更部１５ｆは、第一所定時間Ｔ１経過する毎に燃料ガスの流量を第一所定流量の一定量を減少させるように変更しているが、これに代えて、第一所定時間Ｔ１経過する毎に異なる流量を減少させるように変更しても良い。
【０１０５】
また、上述した実施形態において、下限燃料流量は、燃料流量設定部１５ａによって設定され、燃料流量変更部１５ｆによって変更された燃料ガスの流量から設定されるが、これに代えて、改質用原料供給管１１ａに改質用原料の流量を検出する流量センサ（図示なし）を配置して、流量センサの検出結果から下限燃料流量を設定するようにしても良い。この場合、燃料ガスの流量の制御指令値でなく、燃料ガスの実際の流量に基づいて下限燃料流量が設定されるため、下限燃料流量を精度よく設定することができる。
【０１０６】
また、上述した実施形態において、第一状態は、電力判定部１５ｃによって発電電力が所定電力範囲内であると判定され、かつ、温度判定部１５ｄによって第一燃焼部温度が所定温度範囲内であると判定された状態であるが、これに代えて、発電電力が燃料電池３４の最大発電電力であり、かつ、温度判定部１５ｄによって第一燃焼部温度が所定温度範囲内であると判定された状態としても良い。この場合、電力判定部１５ｃは、発電電力が燃料電池３４の最大発電電力であるか否かを判定する。また、燃料流量変更部１５ｆは、発電電力が燃料電池３４の最大発電電力であり、かつ、温度判定部１５ｄによって第一燃焼部温度が所定温度範囲内であると判定された状態が第一所定時間Ｔ１継続する毎に、燃料ガスの流量を段階的に減少するように変更する。
【符号の説明】
【０１０７】
１…燃料電池システム、１１（３０）…燃料電池モジュール、１１ａ１…原料ポンプ（燃料供給部）、１１ｃ１…カソードエアブロワ（酸化剤ガス供給部）、１５…制御装置、１５ａ…燃料流量設定部、１５ｃ…電力判定部、１５ｄ…温度判定部、１５ｅ…第一状態判定部、１５ｆ…燃料流量変更部、１５ｇ…空気流量設定部（酸化剤ガス流量設定部）、１５ｉ…空気流量変更部（酸化剤ガス流量変更部）、１５ｊ…第二状態判定部、１５ｋ…吹き消え判定部、１５ｍ…下限流量設定部、１５ｎ…着火制御部、３４…燃料電池、３６…第一燃焼部（燃焼部）、４０…電力検知装置、４１…第一温度センサ、４２…第二温度センサ、Ｔ１…第一所定時間、Ｔ２…第二所定時間。
【図１】
2019121466.tif 000003
【図２】
2019121466.tif 000004
【図３Ａ】
2019121466.tif 000005
【図３Ｂ】
2019121466.tif 000006
【図４】
2019121466.tif 000007